(57)【要約】【課題】記録シートと非加熱部材の温度差や高温記録シートの移送に起因する問題を、雰囲気温度にリアルテイムに対応し解決可能な画像形成装置の提供。【解決手段】温度センサ１７の検出温度Ｔが、Ｔ１＜Ｔ＜Ｔ２となるようにペルチェ素子１４でガイド部材１５の温度が制御されるため、定着ユニット８を通過し高温の記録シートからの水蒸気がガイド部材１５に結露せず、後送記録シートの変形、両面印刷時の異常画像形成がなく、記録シートの温度制御で、ガイド部材１５との接触時の画像剥がれ、トナー汚れ、フィルム記録シートの軟化による詰まりと傷の発生が防止可能で、両面印刷時の高温記録シートの画像形成部の通過がなく、記録シートの表裏面の温度差による光沢差、感光体高温化のクリーニング不良での形成画像の品質低下、トレイに排出積載される記録シートのトナー像の一枚上の記録シート裏面への張付の防止が可能になる。【選択図】        図２
2004191444.tif 000002
【特許請求の範囲】
【請求項１】
画像形成部での画像形成処理が終了し、加熱定着部で加熱定着処理されて排出される記録シートを搬送経路上で搬送する搬送手段と、
前記記録シートの搬送下流方向で、前記搬送経路の前記加熱定着部の近傍に設けられ、前記記録シートの加熱或いは冷却を選択して実行し、前記記録シートの温度変更を行なう温度変更手段と
を有することを特徴とする画像形成装置。
【請求項２】
搬送手段が、温度変更手段での温度変更処理が施された記録シートを保持格納後、搬送方向を反転して画像形成部に搬送する両面印刷送り機能を有することを特徴とする請求項１記載の画像形成装置。
【請求項３】
温度変更手段が、ペルチェ素子を導熱部材と気流経路に配置される放熱部材とで挟持した構成を有することを特徴とする請求項１または請求項２記載の画像形成装置。
【請求項４】
温度変更手段が、加熱定着部の記録シートの搬送下流側近傍の搬送経路の温度を検知し、検知温度に基づいてペルチェ素子の動作を制御する温度制御機能を有することを特徴とする請求項３記載の画像形成装置。
【請求項５】
温度変更手段の温度制御機能の温度制御に基づきＯＮ−ＯＦＦ動作する開閉弁が、さらに設けられていることを特徴とする請求項４記載の画像形成装置。
【発明の詳細な説明】
【０００１】
【発明の属する技術分野】
本発明は複写機、プリンタなどの画像形成装置に関する。
【０００２】
【従来の技術】
複写機、プリンタなどの画像形成装置では、感光体上に現像形成されるトナー像を記録シートに転写した後に、定着器により加熱と加圧を施して、トナー像を記録シートに定着させることにより画像形成を行なっている。
この場合、画像形成動作時に、装置を構成する加熱部材は加熱され、温度が上昇した状態にあるが、装置を構成する非加熱部材は低温度状態にあり、特に雰囲気温度が低い場合や電源投入からの時間が短い場合には、特に加熱部材と非加熱部材の温度差が大きく、このことに起因する問題が発生する。
具体的には、画像形成された記録シートが、定着器を通過する際に加熱されることにより、記録シート内部の水分が水蒸気となって、記録シートと共に搬送下流側に移送され、この水蒸気が低温度のガイド部材などに結露して水滴として付着すると、後から搬送される記録シートがこの水滴により変形することがあり、両面印刷時には、この変形に起因して形成される画像の品質が低下することがある。
この問題に対応するために、定着器直後の搬送経路にヒータを設け、ヒータを点灯し該搬送経路を加熱した後に定着器を作動させる定着装置が提案されている（特許文献１参照）。
【０００３】
一方、この種の画像形成装置では、定着器を通過し高温化された記録シートのその後の移送に基づく問題も発生する。
具体的には、高温化された記録シートでは、トナーの記録シートへの固着が不十分なので、記録シートが搬送下流側の部材に接触すると、記録シートの画像剥がれや、接触部材のトナー汚れが生じることがあり、フィルム材の記録シートでは、軟化によるシート詰まりや表面傷が発生することがある。また、両面印刷を行なう場合には、高温の記録シートが再度画像形成部を通過するので、表面と裏面とでの温度差に起因する画像の光沢差が生じたり、感光体の温度上昇で生じるクリーニング不良で形成画像の品質が低下することもある。
この問題に対しては、定着器の搬送下流側（定着器の記録シート搬送方向下流側。以下同じ）を空冷する画像形成装置が提案されている（特許文献２，３参照）。また、定着器の搬送下流側をペルチェ素子を用いて冷却する記録シート冷却装置（特許文献４参照）や、プリンタ（特許文献５参照）がそれぞれ提案されている。
【０００４】
【特許文献１】
特開平６−２７４０５７号公報
【特許文献２】
特開平９−１７１３１１号公報
【特許文献３】
特開２０００−１８７４１７号公報
【特許文献４】
実開平５−２８６５７号公報
【特許文献５】
特開２００２−１０３７１６号公報
【０００５】
ところで、この種の画像形成装置では、電源投入後の経過時間、雰囲気温度、装置の機種、動作経年時間などに応じて、前述した記録シートと非加熱部材の温度差や、高温化された記録シートの移送に起因する問題の発生条件がリアルタイムで異なることが知られている。
従って、前述した問題を完全にに解決するためには、雰囲気温度にリアルタイムに対応して、適確な温度制御を行なうことが必要であるが、上記特許文献１ないし特許文献５には、対応する解決策の開示は認められない。
【０００６】
【発明が解決しようとする課題】
本発明は、前述したこの種の画像形成装置の動作の現状に鑑みてなされたものであり、その目的は、記録シートと非加熱部材の温度差や高温化された記録シートの移送に起因する問題を、雰囲気温度に適確に対応して高精度で解決可能な画像形成装置を提供することにある。
【０００７】
【課題を解決するための手段】
前記目的を達成するために、請求項１記載の発明は、画像形成部での画像形成処理が終了し、加熱定着部で加熱定着処理されて排出される記録シートを搬送経路上で搬送する搬送手段と、前記記録シートの搬送下流方向で、前記搬送経路の前記加熱定着部の近傍に設けられ、前記記録シートの加熱或いは冷却を選択して実行し、前記記録シートの温度変更を行なう温度変更手段とを有することを特徴とするものである。
【０００８】
このような手段によると、画像形成部での画像形成処理が終了し、加熱定着部で加熱定着処理されて排出される記録シートが、搬送手段によって搬送経路上で搬送されるが、記録シートの搬送下流方向で、搬送経路の加熱定着部の近傍に設けられた、温度変更手段によって、記録シートの加熱或いは冷却が選択して実行され、記録シートの温度変更が行なわれるために、低雰囲気温度での画像形成時、或いは電源投入直後の画像形成時に、記録シート内部から発生する水蒸気の低温部材での結露による記録シートの変形、両面印刷時の異常画像の形成、高温記録シートの画像剥がれ、トナー汚れの発生、フィルム材記録シートの詰まりや傷付き、両面印刷時の感光体の温度上昇によるクリーニング不良による異常画像形成などの問題を、雰囲気条件にリアルタイムに対応する制御により、完全に防止して常に高品質の画像形成が行なわれる。
【０００９】
同様に前記目的を達成するために、請求項２記載の発明は、請求項１記載の発明において、搬送手段が、温度変更手段での温度変更処理が施された記録シートを保持格納後、搬送方向を反転して画像形成部に搬送する両面印刷送り機能を有することを特徴とするものである。
このような手段によると、搬送手段が、温度変更手段での温度変更処理が施された記録シートを保持格納後、搬送方向を反転して画像形成部に搬送する両面印刷送り機能を有するので、記録シートの一面に画像形成を行なう場合に限らず、記録シートの両面に画像形成を行なう場合に対しても、請求項１記載の発明での作用が実行される。
【００１０】
同様に前記目的を達成するために、請求項３記載の発明は、請求項１または請求項２記載の発明において、温度変更手段が、ペルチェ素子を導熱部材と、気流経路に配置される放熱部材とで挟持した構成を有することを特徴とするものである。
【００１１】
このような手段によると、温度変更手段が、ペルチェ素子を導熱部材と気流経路に配置される放熱部材とで挟持した構成なので、請求項１記載の発明での作用に加えて、全体を大幅に小型化した状態で温度変更が効率的に行なわれる。
【００１２】
同様に前記目的を達成するために、請求項４記載の発明は、請求項３記載の発明において、温度変更手段が、加熱定着部の記録シートの搬送下流側近傍の搬送経路の温度を検知し、検知温度に基づいてペルチェ素子の動作を制御する温度制御機能を有することを特徴とするものである。
【００１３】
このような手段によると、温度変更手段が、加熱定着部の記録シートの搬送下流側近傍の搬送経路の温度を検知し、検知温度に基づいてペルチェ素子の動作を制御するので、搬送経路の温度に対応して高精度の温度制御を行なうことにより、請求項３記載の発明での作用が、雰囲気温度により適確に対応する制御によってより高精度で行なわれる。
【００１４】
同様に前記目的を達成するために、請求項５記載の発明は、請求項４記載の発明に、温度変更手段の温度制御機能の温度制御に基づき、ＯＮ−ＯＦＦ動作する開閉弁がさらに設けられていることを特徴とするものである。
【００１５】
このような手段によると、ペルチェ素子の駆動による温度制御に基づき、開閉弁ＯＮ−ＯＦＦ動作が行なわれることにより、請求項４記載の発明での作用がより効率的に実行される。
【００１６】
【発明の実施の形態】
以下に、本発明の一実施の形態を、図１ないし図５を参照して説明する。
図１は本実施の形態の全体構成を示す説明図、図２は図１の温度変更ユニットとその周辺部分の構成を示す説明図、図３は同温度変更ユニットの構成を示す一部切開斜視説明図、図４は同温度変更ユニットの温度制御機能部の構成を示すブロック図、図５は同温度変更ユニットの構成を示す説明図である。
【００１７】
本実施の形態では、図１に示すように、装置本体２５内の下部には、対応するサイズの記録シートがそれぞれ収納される給紙トレイ７ａ、７ｂが配設され、給紙トレイ７ａの上方に、画像形成部３０が配設されている。この画像形成部３０には、Ｂｌａｃｋ（ＢＫ）、Ｃｙａｎ（Ｃ）、Ｍａｇｅｎｔａ（Ｍ）、Ｙｅｌｌｏｗ（Ｙ）にそれぞれ対応し、対応色の画像の潜像が形成される感光体２及び対応する感光体２の潜像を対応色のトナーで現像し、トナー像として顕像化する現像ユニット３とが、各色に対応して４組配置されている。
また、装置本体２５内において感光体２の近傍には、ＢＫ、Ｃ、Ｍ、Ｙの各色ごとに読み取った画像データに基づき、各感光体２に対応する色の潜像を露光形成する光学ユニット１が配設されている。
さらに、感光体２に近接対向して転写ベルト４が配設され、この転写ベルト４は、給紙トレイ７ａ、７ｂから、或いは手差し給紙トレイ６から、レジストローラ５を介して送り込まれる記録シートを、感光体２に対接させて搬送し、記録シートに、原稿画像の対応する色のトナー像を重畳することにより、記録シートに原稿画像を転写する機能を有している。
【００１８】
そして、転写ベルト４の搬送方向の端部に対向して、画像形成が行なわれた記録シートに定着処理を施す定着ユニット８が配設されおり、この定着ユニット８には、図２に示すように、搬送挿入される画像形成が行なわれた記録シートを挟持する定着ローラ８ａ及び加圧ローラ８ｂが設けられ、画像形成に使用されたトナーを記録シートに定着させる機能を有している。この定着ユニット８の記録シートの排出側近傍には、分離爪１３ａ、１３ｂが配置され、分離爪１３ａ、１３ｂに連続して、鉄、銅、アルミなどの高熱伝導性の部材で形成され、記録シートが搬送されるたガイド部材１５が配設されている。
【００１９】
本実施の形態では、このガイド部材１５の裏面側において、ガイド部材１５に連続して筐体が形成され、この筐体内に、加熱・冷却の温度制御を行なう温度変更ユニット９が配設されている。
この温度変更ユニット９には、図２、図３及び図５に示すように、ガイド部材１５の温度を検知する温度センサ１７が、ガイド部材１５の裏面に設けられ、筐体の一内側面には、流す電流の方向によって、一面が低温に他面が高温になるペルチェ素子１４の一面が取り付けられ、ペルチェ素子１４の他面には、気流経路を備えた放熱部材１９が取り付けられている。
さらに、放熱部材１９の気流経路方向の端部近傍には排気ファン１８が配設され、排気ファン１８と放熱部材１９の端部間には、ペルチェ素子１４によるガイド部材１５の冷却時に解放され、ペルチェ素子１４によるガイド部材１５の加熱時に閉鎖される弁２０が配設されている。
そして、図４に示すように、装置本体２５に設けられ、ガイド部材１５の温度を制御する制御部２１に、温度センサ１７から温度信号Ｆｔが入力され、この温度信号Ｆｔに基づいて、制御部２１からは、ペルチェ素子１４にはペルチェ素子１４の動作を制御する制御信号Ｆｃ１が、弁２０には弁２０の開閉を制御する制御信号Ｆｃ２が入力されるように構成されている。
【００２０】
また、ガイド部材１５の記録シートの搬送方向の端部には、排紙ローラ１６が配設され、一面印刷時には、排紙ローラ１６を通過した記録シートは、排紙経路２６を介して、装置本体２５の上部に設けられた排紙トレイ１１に搬送され、両面印刷時には、排紙ローラ１６を通過した記録シートは、反転経路２７を介して、図示せぬ保管トレイに一旦格納された後に、反転搬送経路２８を介して、再度転写ベルト４に送り込まれるように構成されている。
【００２１】
このような構成の本実施の形態の動作を、図６及び図７を参照して説明する。
図６は本実施の形態の動作を示す特性図、図７は本実施の形態の動作を示すフローチャートである。
【００２２】
本実施の形態では、図７のフローチャートのステップＳ１で、オペレータの操作により画像形成を行なう印刷命令が入力されると、制御部２１が温度センサ１７から温度信号Ｆｔを取り込むことにより、ガイド部材１５の温度Ｔの検出が行なわれ、ステップＳ３に進んで、検出された温度Ｔが、予め設定された下限温度Ｔ１より低いか否かの判定が行なわれる。
【００２３】
この下限温度Ｔ１は、画像形成された記録シートが、定着ローラ８ａと加圧ローラ８ｂ間を通過して、加熱による温度上昇が行なわれるため、記録シート内部の水分が水蒸気となって、記録シートと共に搬送の下流側に移送され、ガイド部材１５などの非加熱部材に水滴として結露する下限温度であり、温度センサ１７の検出温度が下限温度Ｔ１以上であることが、水滴が発生しないための条件として予め設定されている。
記録シートから発生した水蒸気が、ガイド部材１５に水滴として結露すると、記録シートに水滴が付着し、記録シートが変形することがあり、両面印刷時には異常画像が形成されることもあるので、検出温度Ｔが下限温度Ｔ１より高いことが、正常な画像形成を行なうための第１の条件である。
【００２４】
図７のフローチャートに戻って、ステップＳ３で、温度センサ１７の検出温度Ｔが下限温度Ｔ１よりも低いと判定されると、ステップＳ４に進んで、制御部２１によって解放状態にある弁２０が閉じられ、排気ファン１８による冷却を避けた状態が設定された後に、ステップＳ５に進んで、ペルチェ素子１４に対して、ガイド部材１５との接触面が発熱する方向に電流を流す電圧が印加され、ガイド部材１５の温度が上昇して行く。ステップＳ５からは、ステップＳ２に戻って温度センサ１７による温度検知が継続して実施される。
【００２５】
また、ステップＳ３で、温度センサ１７の検出温度Ｔが下限温度Ｔ１よりも高いと判定されると、ステップＳ６に進んで、温度センサ１７の検出温度が上限温度Ｔ２よりも高いか否かの判定が行なわれる。
【００２６】
この上限温度Ｔ２は、定着ユニット８を通過した画像形成された記録シートが、高温状態のままであると、正常な画像形成を害なうことがあり、そのために予め設定される上限値である。
定着ユニット８を通過した記録シートが、定着直後の高温のままであると、トナーが記録シートに完全に固着しておらず、記録シートの搬送下流側のガイド部材１５やローラとの接触時に、画像剥がれやトナー付着の汚れが生じることがあり、記録シートがＯＨＰなどのフィルムシートの場合には、軟化によるシート詰まりや記録シート表面に傷が発生することがある。
また、両面印刷の場合には、高温の記録シートが再度画像形成部を通過することにより、表面と裏面とでの温度差に起因する画像の光沢差が生じたり、感光体の温度上昇によるクリーニング不良が生じたりすることによる画像品質の低下が発生することがあり、また、排紙トレイ或いは保管トレイに排出積載された記録シートのトナー像が、該記録シートの上に積載される記録シートの裏面に張り付くプロッキング現象が発生することがある。
このようにして、検出温度Ｔが上限温度Ｔ２より低いことが、正常な画像形成を行なうための第２の条件となる。
【００２７】
ここで、図７のフローチャートに戻って、ステップＳ６で、温度センサ１７の検出温度Ｔが上限温度Ｔ２より高いと判定されると、ステップＳ７に進んで、制御部２１によって、弁２０を解放したままで、ペルチェ素子１４への電圧の印加方向が反転され、ペルチェ素子１４にはガイド部材１５との接触面が冷却される方向に電流が流れ、ガイド部材１５の温度が低下して行く。ステップＳ７からは、ステップＳ２に戻って温度センサ１７による温度検知が継続して実施される。
【００２８】
そして、ステップＳ６において、温度センサ１７の検出温度Ｔが上限温度Ｔ２よりも低いと判定されると、ステップＳ８に進んで印刷動作がスタートし、画像形成部３０での画像形成動作が開始される。
先ず、光学ユニット１によって、原稿画像がＢＫ、Ｃ、Ｍ、Ｙの各色ごとに読み取られ、読み取られた画像データに基づき、光学ユニット１によって、ＢＫ、Ｃ、Ｍ、Ｙの各色に対応する感光体２に対して、対応する色の潜像がそれぞれ露光形成される。
次いで、画像形成部３０のＢＫ、Ｃ、Ｍ、Ｙにそれぞれ対応する現像ユニット３によって、対応する感光体２の潜像が対応色のトナーで現像されることにより、感光体にはそれぞれ対応する色の原稿画像がトナー像とし顕像化形成される。
【００２９】
そして、給紙トレイ７ａ、７ｂから、或いは手差し給紙トレイ６から、レジストローラ５を介して送り込まれる記録シートの移送と、ＢＫ色のトナー像が現像形成されている感光体２の時計回り方向の回転との同期を取ることにより、記録シートのＢＫ色画像の記録開始位置と感光体２のＢＫ色のトナー像の始点とが一致するようにして、記録シートの移送とＢＫトナー像が現像された感光体２の回転とが行なわれ、記録シートに原稿のＢＫトナー像が転写される。
次いで、ＢＫトナー像が転写形成された記録シートのＣ色画像の記録開始位置と、次の感光体２のＣ色のトナー像の始点とが一致するように、記録シートの移送とＣトナー像が現像された感光体２の回転とが行なわれ、記録シートのＢＫトナー像にＣトナー像が重畳転写される。
以下、同様にして、Ｙ色のトナー像が現像されている最終段の感光体２位置を通過した記録シートには、ＢＫ、Ｃ、Ｍ、Ｙの各色のトナー像が重畳転写されたカラー原稿画像が転写形成される。
このようにして、原稿のカラー画像が形成された記録シートは、定着ユニット８に移送され、１５０℃〜１６０℃に加熱された定着ローラ８ａと、加圧ローラ８ｂ間のニップ部に挿入され、加熱と加圧が施された状態で搬送され定着処理が行なわれる。
【００３０】
このようにして、定着処理が施された記録シートは、一面印刷が行なわれる場合には、排紙経路２６を介して排紙トレイ１１に送り込まれ、両面印刷が行なわれる場合には、反転ローラ１２を介して、図示せぬ保管トレイに一旦収納され、裏面印刷時に反転搬送経路２８を介して、裏面を表面にした状態で再度画像形成部３０に送り込まれ、記録シートの裏面に原稿裏面の画像形成が行なわれる。
【００３１】
このように行なわれる画像形成動作に際しては、すでに述べたようにして、定着ユニット８の搬送下流側のガイド部材１５の温度制御が行なわれ、図６（ｃ）に示すように、温度センサ１７の検出温度Ｔが下限温度Ｔ１より低いと、同図（ａ）に示すように弁２０を閉じた状態で、同図（ｂ）に示すように、ペルチェ素子１４による加熱が行なわれ、同図（ｃ）の時刻ｔ３で、温度センサ１７の検出温度Ｔが上限温度Ｔ２を越えると、弁２０が閉鎖されてペルチェ素子１４による冷却が行なわれ、温度センサ１７の検出温度Ｔが、常に、Ｔ１＜Ｔ＜Ｔ２を維持するように温度制御が行なわれる。
【００３２】
このようにして、本実施の形態によると、画像形成された記録シートが、定着ローラ８ａと加圧ローラ８ｂ間を通過した記録シートの温度上昇により、記録シート内部から発生する水蒸気が、記録シート搬送の下流側において、ガイド部材１５などの非加熱部材に水滴として結露することがないので、記録シートへの水滴付着による記録シートの変形を防止し、両面印刷時の異常画像の形成を防止することが可能になる。
また、定着ユニット８を通過した記録シートが、定着直後の高温から低温化されるので、記録シートの搬送下流側のガイド部材１５やローラへの接触時に、画像剥がれやトナー付着の汚れの防止、記録シートがＯＨＰなどのフィルムシートの場合の軟化によるシート詰まりや記録シート表面の傷の発生を防止することが可能になる。
さらに、両面印刷時に、高温の記録シートが再度画像形成部を通過することがなく、記録シートの表面と裏面とでの温度差に起因する画像の光沢差を防止し、感光体に温度上昇によるクリーニング不良の発生による形成画像の品質低下を防止することが可能になり、トレイに排出積載される記録シートのトナー像が、一枚上の記録シートの裏面に張りつくプロッキング現象の発生を防止することも可能になる。
【００３３】
【発明の効果】
請求項１記載の発明によると、画像形成部での画像形成処理が終了し、加熱定着部で加熱定着処理されて排出される記録シートが、搬送手段によって搬送経路上で搬送されるが、記録シートの搬送下流方向で、搬送経路の加熱定着部の近傍に設けられた温度変更手段によって、記録シートの加熱或いは冷却が選択して実行され、記録シートの温度変更が行なわれるために、低雰囲気温度での画像形成時、或いは電源投入直後の画像形成時に、記録シート内部から発生する蒸気の低温部材での結露による記録シートの変形、両面印刷時の異常画像の形成、高温記録シートの画像剥がれ、トナー汚れの発生、フィルム材記録シートの詰まりや傷付き、両面印刷時の感光体の温度上昇によるクリーニング不良による異常画像形成などの問題を、雰囲気条件にリアルタイムに対応することにより、完全に防止して常に高品質の画像形成を行なうことが可能になる。
【００３４】
請求項２記載の発明によると、搬送手段が、温度変更手段での温度変更処理が施された記録シートを保持格納後、搬送方向を反転して画像形成部に搬送する両面印刷送り機能を有するので、記録シートの一面に画像形成を行なう場合に限らず、記録シートの両面に画像形成を行なう場合に対しても、請求項１記載の発明で得られる効果を実現することが可能になる。
【００３５】
請求項３記載の発明によると、温度変更手段が、ペルチェ素子を導熱部材と気流経路に配置される放熱部材とで挟持した構成なので、請求項１記載の発明で得られる効果に加えて、全体を大幅に小型化した状態で、温度変更を効率的に行なうことが可能になる。
【００３６】
請求項４記載の発明によると、温度変更手段が、加熱定着部の記録シートの搬送下流側近傍の搬送経路の温度を検知し、検知温度に基づいてペルチェ素子の動作を制御するので、搬送経路の温度に対応して高精度の温度制御を行なうことにより、請求項３記載の発明で得られる効果を、雰囲気温度に適確に対応する制御によって、より高精度で実現することが可能になる。
【００３７】
請求項５記載の発明によると、ペルチェ素子の駆動による温度制御に基づき、開閉弁ＯＮ−ＯＦＦ動作が行なわれることにより、請求項４記載の発明で得られる効果をより効率的に実現することが可能になる。
【００３８】
【図面の簡単な説明】
【図１】本発明の一実施の形態の全体構成を示す説明図である。
【図２】図１の温度変更ユニットとその周辺部分の構成を示す説明図である。
【図３】同温度変更ユニットの構成を示す一部切開斜視説明図である。
【図４】同温度変更ユニットの温度制御機能部の構成を示すブロック図である。
【図５】同温度変更ユニットの構成を示す説明図である。
【図６】同実施の形態の動作を示す特性図である。
【図７】同実施の形態の動作を示すフローチャートである。
【符号の説明】
１  光学ユニット
２  感光体
３  現像ユニット
４  転写ベルト
８  定着ユニット
９  温度変更ユニット
１４  ペルチェ素子
１５  ガイド部材
１７  温度センサ
１８  排気ファン
１９  放熱部材
２０  弁
２１  制御部
３０  画像形成部
【図１】
2004191444.tif 000003
【図２】
2004191444.tif 000004
【図３】
2004191444.tif 000005
【図４】
2004191444.tif 000006
【図５】
2004191444.tif 000007
【図６】
2004191444.tif 000008
【図７】
2004191444.tif 000009